(57)【要約】【課題】遮断器トリップ回路に接続された状態で行われる模擬遮断器の動作試験において、図面の確認や養生作業を失念した場合でも、誤って停電を引き起こしてしまうおそれのない模擬遮断器誤動作防止装置を提供する。【解決手段】本発明の模擬遮断器誤動作防止装置８は、端子Ｔ１９，Ｔ２０の間にトグルスイッチｓ１４が設けられた正極線Ｐ５と、端子Ｔ２１，Ｔ２2の間にトグルスイッチｓ１４に連動するトグルスイッチｓ１５が設けられた負極線Ｎ３と、端子９ａ，９ｂ間の電圧、端子１０ａ，１０ｂ間の電圧及び端子１１ａ，１１ｂ間の電圧をそれぞれ検出して表示可能に構成された電圧検出手段９〜１１を備えている。【選択図】図３
2018147835.tif 000002
【特許請求の範囲】
【請求項１】
正極性の第１の電力線及び第２の電力線と、
この第２の電力線に第１の切換スイッチ及び第２の切換スイッチを介してそれぞれ接続された第１のトリップロック端子及び第２のトリップロック端子と、      
負極性の第３の電力線と、を有して遮断器にトリップ信号を送信する遮断器トリップ回路と、
トリップコイル端子に送られたトリップ信号に従って作動するトリップコイルと、
投入コイル端子に送られた投入信号に従って作動する投入コイルと、
この投入コイル及び前記トリップコイルによってそれぞれ動作を制御される第１のトグルスイッチと、
前記トリップコイル及び前記投入コイルを介して互いに接続された第１の制御用電力線及び第２の制御用電力線と、を有し、
前記トリップコイル端子が前記第１の切換スイッチと前記第１のトリップロック端子の間に接続されるとともに、前記投入コイル端子が前記第２の切換スイッチと前記第２のトリップロック端子の間に接続された模擬遮断器の動作試験に用いられる模擬遮断器誤動作防止装置であって、
第１の端子と第２の端子の間に第２のトグルスイッチが設けられた正極線と、
第３の端子と第４の端子の間に前記第２のトグルスイッチに連動する第３のトグルスイッチが設けられた負極線と、
２つの端子間の電圧を検出して表示する第１の電圧検出手段乃至第３の電圧検出手段と、を備えたことを特徴とする模擬遮断器誤動作防止装置。
【請求項２】
前記第１の電圧検出手段乃至前記第３の電圧検出手段の少なくともいずれか１つは、２つの前記端子間の前記電圧を検出するように構成された回路と、この回路によって検出された前記電圧を表示する表示部と、からなることを特徴とする請求項１に記載の模擬遮断器誤動作防止装置。
【請求項３】
前記第１の電圧検出手段乃至前記第３の電圧検出手段の少なくともいずれか１つは、２つの前記端子間の前記電圧を検出する電圧計からなることを特徴とする請求項１に記載の模擬遮断器誤動作防止装置。
【発明の詳細な説明】
【技術分野】
【０００１】
本発明は、遮断器トリップ回路に接続された状態で行われる模擬遮断器の動作試験に用いられる模擬遮断器誤動作防止装置に係り、特に、図面の確認や養生作業を失念して模擬遮断器を接続した場合でも、誤って停電を引き起こしてしまうおそれのない模擬遮断器誤動作防止装置に関する。
【背景技術】
【０００２】
遮断器のトリップ回路と投入回路を改修した後に行われる実遮断試験において、停電させることができない場合には、トリップコイルと投入コイルに繋がるトリップロック端子から短絡片を外した後、遮断器トリップ回路に模擬遮断器を接続して当該試験を実施している。遮断器トリップ回路への模擬遮断器の接続は、アース間で電圧が発生していないことなどを図面で確認し、遮断器側の回路に誤って接続しないように養生する必要がある。しかしながら、このような図面の確認や養生作業を失念して模擬遮断器を接続した場合、運転中の遮断器を誤って遮断して停電を引き起こしてしまうという問題があった。
【０００３】
遮断器の動作試験に係る技術としては、例えば、特許文献１に、「ディジタル形保護リレー」という名称で、遮断器引き外し回路に対する試験機能を備えたリレーに関する発明が開示されている。
特許文献１に記載された発明は、電流経路を開閉する「開閉部」と、「開閉部」の接続された第１の接続点の接続先を第２の接続点及び第３の接続点のいずれか一方に切り替える「切替部」と、「開閉部」の端部のうち、「切替部」と接続された端部とは反対側の端部と、第３の接続点との間の「開閉部」に対する並列電流経路上に設置される「電流検知部」と、この「電流検知部」からの検知信号に基づいて、健全性試験の中止または継続を判断する「制御部」を備えた構造となっている。
このような構造によれば、遮断器引き外し回路の健全性確認試験時に発生し得る遮断器の誤作動を防ぐことができる。
【０００４】
また、特許文献２には、「配線用遮断器の無停電試験装置および無停電試験方法」という名称で、負荷電流を供給しながら、配線用遮断器の過電流遮断機能試験を実施することができる装置とその方法に関する発明が開示されている。
特許文献２に記載された発明は、配線用遮断器が遮断された場合に配線用遮断器に接続された負荷に配電線から負荷電流を供給するバイパス回路を備えた構造となっている。
このような構造によれば、配線用遮断器の過電流遮断機能試験の実施中に配線用遮断器が動作しても負荷にバイパス回路を経由して配電線から電流が供給されるため、負荷が停電することを防止できる。
【先行技術文献】
【特許文献】
【０００５】
【特許文献１】特開２０１６−１５２７６３号公報
【特許文献２】特開２０１１−１５４８７５号公報
【発明の概要】
【発明が解決しようとする課題】
【０００６】
特許文献１に記載された発明では、開閉部や切替部を流れる電流を検知することによって所定の回路について健全性を判断する構成となっているため、トリップコイルや投入コイルに繋がる端子については、その対地電圧を検知することができないという課題があった。また、この発明は実遮断器の試験に用いられるものであり、模擬遮断器の試験には適用できないという課題もあった。
【０００７】
特許文献２に記載された発明では、配線用遮断器の試験中の停電については、その発生を防止できるものの、誤配線や図面の確認ミス等の不備を発見することができないという課題があった。
【０００８】
本発明はかかる従来の事情に対処してなされたものであって、遮断器トリップ回路に接続された状態で行われる模擬遮断器の動作試験において、図面の確認や養生作業を失念した場合でも、誤って停電を引き起こしてしまうおそれのない模擬遮断器誤動作防止装置を提供することを目的とする。
【課題を解決するための手段】
【０００９】
上記目的を達成するため、第１の発明は、正極性の第１の電力線及び第２の電力線と、この第２の電力線に第１の切換スイッチ及び第２の切換スイッチを介してそれぞれ接続された第１のトリップロック端子及び第２のトリップロック端子と、負極性の第３の電力線と、を有して遮断器にトリップ信号を送信する遮断器トリップ回路と、トリップコイル端子に送られたトリップ信号に従って作動するトリップコイルと、投入コイル端子に送られた投入信号に従って作動する投入コイルと、この投入コイル及びトリップコイルによってそれぞれ動作を制御される第１のトグルスイッチと、トリップコイル及び投入コイルを介して互いに接続された第１の制御用電力線及び第２の制御用電力線と、を有し、トリップコイル端子が第１の切換スイッチと第１のトリップロック端子の間に接続されるとともに、投入コイル端子が第２の切換スイッチと第２のトリップロック端子の間に接続された模擬遮断器の動作試験に用いられる模擬遮断器誤動作防止装置であって、第１の端子と第２の端子の間に第２のトグルスイッチが設けられた正極線と、第３の端子と第４の端子の間に前記第２のトグルスイッチに連動する第３のトグルスイッチが設けられた負極線と、２つの端子間の電圧を検出して表示する第１の電圧検出手段乃至第３の電圧検出手段と、を備えたことを特徴とするものである。
【００１０】
このような構造の模擬遮断器誤動作防止装置においては、遮断器トリップ回路に接続された模擬遮断器の動作試験を行う際に、第１の電力線及び第３の電力線に第１の端子及び第３の端子をそれぞれ接続するとともに、第２の端子及び第４の端子を第１の制御用電力線及び第２の制御用電力線にそれぞれ接続し、第１の電圧検出手段の２つの端子を正極線と負極線にそれぞれ接続し、第２の電圧検出手段の一方の端子を接地するとともに他方の端子をトリップコイル端子に接続し、第３の電圧検出手段の一方の端子を接地するとともに他方の端子を投入コイル端子に接続した状態で、第１の電圧検出手段乃至第３の電圧検出手段によって検出された電圧を確認することにより、模擬遮断器の制御用電力線に電圧を印加する前段階で、遮断器トリップ回路や模擬遮断器の配線の不具合が検出されるという作用を有する。
【００１１】
また、第２の発明は、第１の発明において、第１の電圧検出手段乃至第３の電圧検出手段の少なくともいずれか１つは、２つの端子間の電圧を検出するように構成された回路と、この回路によって検出された電圧を表示する表示部と、からなることを特徴とするものである。
このような構造の模擬遮断器誤動作防止装置においては、第１の発明の作用に加え、装置全体が小型化及び軽量化されるという作用を有する。
【００１２】
第３の発明は、第１の発明において、第１の電圧検出手段乃至第３の電圧検出手段の少なくともいずれか１つは、２つの端子間の電圧を検出する電圧計からなることを特徴とするものである。
この場合、簡単な構造によって、第１の発明と同様の作用が発揮されるというメリットがある。
【発明の効果】
【００１３】
第１の発明によれば、図面の確認や養生作業を失念して模擬遮断器を接続した場合でも、誤って停電を引き起こしてしまうおそれがない。
【００１４】
第２の発明によれば、第１の発明の効果に加え、持ち運びや設置が容易であり、保管の際にも広いスペースを必要としないという効果を奏する。
【００１５】
第３の発明によれば、第１の発明の効果に加えて、製造コストが削減されるという効果を奏する。
【図面の簡単な説明】
【００１６】
【図１】（ａ）及び（ｂ）はそれぞれ遮断器トリップ回路と模擬遮断器の一例を示す回路図である。
【図２】遮断器トリップ回路と模擬遮断器が接続された状態を示す回路図である。
【図３】本発明の実施の形態に係る模擬遮断器誤動作防止装置の実施例を示す回路図である。
【図４】図３の模擬遮断器誤動作防止装置が遮断器トリップ回路と模擬遮断器に接続された状態を示す回路図である。
【図５】図３の模擬遮断器誤動作防止装置を用いて模擬遮断器の動作試験を行う際の手順を示したフローチャートである。
【発明を実施するための形態】
【００１７】
本発明の模擬遮断器誤動作防止装置は、遮断器トリップ回路に接続された模擬遮断器に用いられるものであるため、まず、遮断器トリップ回路と模擬遮断器について図１及び図２を用いて説明する。図１（ａ）及び図１（ｂ）はそれぞれ遮断器トリップ回路と模擬遮断器の回路図の一例である。また、図２は遮断器トリップ回路と模擬遮断器が接続された状態を示す回路図である。
【００１８】
図１（ａ）に示すように、遮断器トリップ回路１は、保護継電器盤２に遮断器３と自動復旧装置４と遠隔制御盤５と受電盤６が接続された構造となっている。
保護継電器盤２では、正極性の電力線Ｐ０が端子Ｔ１に接続されるとともに、メーク接点ａ１，ａ２及びトリップロック端子ｔｒ１を介して端子Ｔ２に接続されている。また、正極性の電力線Ｐ１はオフディレイ動作のメーク接点ａ３，ａ４と切換スイッチｓ１，ｓ２とトリップロック端子ｔｒ２を介して端子Ｔ２に接続されるとともに、ブレーク接点ｂ１とメーク接点ａ５〜ａ７と補助リレーＲ１，Ｒ２と切換スイッチｓ１，ｓ２とトリップロック端子ｔｒ３を介して端子Ｔ３に接続されている。なお、電力線Ｐ１と補助リレーＲ１は、ブレーク接点ｂ１とメーク接点ａ５〜ａ７と並列に設けられたメーク接点ａ３，ａ４を介しても接続されている。
さらに、負極性の電力線Ｎ０が並列接続された補助リレーＲ３，Ｒ４を介して端子Ｔ４に接続されている。
【００１９】
遮断器３では、負極性の電力線Ｎ１にブレーク接点ｂ２が接続されており、このブレーク接点ｂ２には、補助リレーＲ５及びリミットスイッチＬｓ１を介して端子Ｔ５が接続されるとともに、リミットスイッチＬｓ１のみを介して端子Ｔ６が接続され、さらに、補助リレーＲ６及びリミットスイッチＬｓ２を介して端子Ｔ７が接続されている。
自動復旧装置４では、端子Ｔ８にメーク接点ａ８が接続されており、このメーク接点ａ８には、メーク接点ａ９、切換スイッチＳ１，Ｓ２及びトリップロック端子ｔｒ４を介して端子Ｔ９が接続されるとともに、メーク接点ａ１０、切換スイッチｓ１，ｓ２及びトリップロック端子ｔｒ５を介して端子Ｔ１０が接続されている。
【００２０】
遠隔制御盤５では、正極性の電力線Ｐ２にスイッチｓ３，ｓ４を介して端子Ｔ１１，Ｔ１２がそれぞれ接続されており、受電盤６では、正極性の電力線Ｐ３にボタンスイッチｓ５，ｓ６を介して端子Ｔ１３，Ｔ１４がそれぞれ接続されている。
また、保護継電器盤２の端子Ｔ１，Ｔ４は自動復旧装置４の端子Ｔ８，Ｔ９にそれぞれ接続されており、端子Ｔ２は遮断器３の端子Ｔ５と遠隔制御盤５の端子Ｔ１２と受電盤６の端子Ｔ１４に接続され、端子Ｔ３は遮断器３の端子Ｔ６に接続されている。そして、自動復旧装置４の端子Ｔ１０は遮断器３の端子Ｔ７と遠隔制御盤５の端子Ｔ１１と受電盤６の端子Ｔ１３にそれぞれ接続されている。
【００２１】
図１（ｂ）に示すように、模擬遮断器７では、トリップコイルＴＣと投入コイルＣＣによって動作を制御されて接点ｃ１と接点ｃ２が切り換わるように構成されたトグルスイッチｓ７が端子Ｔ１５を有する制御用電力線Ｎ２に接続されており、接点ｃ１には、復帰タイマーＴＴとトリップコイルＴＣがそれぞれ並列に接続され、接点ｃ２には、動作タイマーＣＴと投入コイルＣＣがそれぞれ並列に接続されている。また、トリップコイルＴＣは、復帰タイマーＴＴによって動作を制御されるトグルスイッチｓ８を介して端子Ｔ１６を有する制御用電力線Ｐ４に接続され、投入コイルＣＣは、動作タイマーＣＴによって動作を制御されるトグルスイッチｓ９を介して制御用電力線Ｐ４に接続されている。そして、復帰タイマーＴＴはトリップコイル端子Ｔ１７に接続されるとともに、トグルスイッチｓ１０を介して制御用電力線Ｐ４に接続されており、動作タイマーＣＴは投入コイル端子Ｔ１８に接続されるとともに、トグルスイッチｓ１１を介して制御用電力線Ｐ４に接続されている。
さらに、制御用電力線Ｐ４は、赤ランプＲＬ及びトグルスイッチｓ１２と緑ランプＧＬ及びトグルスイッチｓ１３をそれぞれ介して制御用電力線Ｎ２に接続されている。さらに、符号は省略するが、複数対の端子がトリップコイルＴＣと投入コイルＣＣによって動作を制御される複数のトグルスイッチを介してそれぞれ互いに接続されている。
【００２２】
模擬遮断器７の動作試験を行う場合、まず、自動復旧装置４のトリップロック端子ｔｒ４，ｔｒ５から短絡片を取り外した後、図２に示すように、端子Ｔ１６を電力線Ｐ１に接続し、端子Ｔ１５を電力線Ｎ０に接続するとともに、トリップコイル端子Ｔ１７を切換スイッチｓ２とトリップロック端子ｔｒ４の間に接続し、投入コイル端子Ｔ１８を切換スイッチｓ２とトリップロック端子ｔｒ５の間に接続する。
【実施例】
【００２３】
つぎに、本発明の模擬遮断器誤動作防止装置について、図３乃至図５を用いて説明する。なお、本実施例では、電力線Ｐ１，Ｎ０には、「＋５５Ｖ」及び「−５５Ｖ」の電圧がそれぞれ印加されているものとする。
図３は本発明の模擬遮断器誤動作防止装置の一例を示す回路図であり、図４は図３の模擬遮断器誤動作防止装置が遮断器トリップ回路と模擬遮断器が接続された状態を示す回路図である。また、図５は図３の模擬遮断器誤動作防止装置を用いて模擬遮断器の動作試験を行う際の手順を示したフローチャートである。
なお、図１及び図２に示した構成要素については、同一の符号を付してその説明を省略する。また、図３ではトグルスイッチｓ１４，ｓ１５が「入」の状態を示している。
【００２４】
図３に示すように、本発明の模擬遮断器誤動作防止装置８は、一端に端子Ｔ１９が設けられるとともに、他端にトグルスイッチｓ１４を介して端子Ｔ２０が設けられた正極線Ｐ５と、一端に端子Ｔ２１が設けられるとともに、トグルスイッチｓ１４に連動するトグルスイッチｓ１５を介して他端に端子Ｔ２２が設けられた負極線Ｎ３と、正極線Ｐ５に接続された端子９ａと負極線Ｎ３に接続された端子９ｂの間の電圧を検出するように構成された回路と電圧表示部（図示せず）からなる電圧検出手段９と、模擬遮断器７のトリップコイル端子Ｔ１７に接続された端子１０ａと接地された端子１０ｂの間の電圧を検出するように構成された回路と電圧表示部（図示せず）からなる電圧検出手段１０と、模擬遮断器７の投入コイル端子Ｔ１８に接続された端子１１ａと接地された端子１１ｂの間の電圧を検出するように構成された回路と電圧表示部（図示せず）からなる電圧検出手段１１を備えている。
【００２５】
模擬遮断器誤動作防止装置８を用いて模擬遮断器７の動作試験を行う方法について図５を参照しながら説明する。
図５に示すように、まず、ステップＳ１において、自動復旧装置４のトリップロック端子ｔｒ４，ｔｒ５から短絡片を取り外す。
次に、ステップＳ２では、図４に示すように、模擬遮断器誤動作防止装置８の端子Ｔ１９と端子Ｔ２１を電力線Ｐ１と電力線Ｎ０にそれぞれ接続する。そして、ステップＳ３では、自動復旧装置４の切換スイッチｓ２とトリップロック端子ｔｒ４の間に接続された模擬遮断器７のトリップコイル端子Ｔ１７に模擬遮断器誤動作防止装置８の電圧検出手段１０の端子１０ａを接続するとともに、自動復旧装置４の切換スイッチｓ２とトリップロック端子ｔｒ５の間に接続された模擬遮断器７の投入コイル端子Ｔ１８に模擬遮断器誤動作防止装置８の電圧検出手段１１の端子１１ａを接続する。
さらに、ステップＳ４では、模擬遮断器誤動作防止装置８のトグルスイッチｓ１４，ｓ１５をいずれも「切」にした状態で模擬遮断器誤動作防止装置８の端子Ｔ２０と端子２２を模擬遮断器７の端子Ｔ１６とＴ１５にそれぞれ接続する。
【００２６】
ステップＳ５では、電圧検出手段１０，１１によって検出されたトリップコイル端子Ｔ１７と投入コイル端子Ｔ１８の対地電圧を確認する。なお、この段階では、トリップコイル端子Ｔ１７と投入コイル端子Ｔ１８は電力線Ｐ１，Ｎ０のいずれにも電気的に繋がっていないため、正常な状態であれば、上記対地電圧は「０Ｖ」となるはずである。したがって、電圧検出手段１０，１１がこれ以外の数値を示している場合には、図面の確認ミスや養生作業の失念等が疑われるため、模擬遮断器７の動作試験を中断して、上述のミスがないか、確認することが必要である。
【００２７】
一方、上記対地電圧が「０Ｖ」の場合には、ステップＳ６において、電圧検出手段９によって検出された正極線Ｐ５と負極線Ｎ３の間の電圧を確認する。なお、正極線Ｐ５と負極線Ｎ３は、ステップＳ４において電力線Ｐ１，Ｎ０にそれぞれ接続されていることから、正常な状態であれば、電圧検出手段９は「１１０Ｖ」を示すはずである。したがって、電圧検出手段９がこれ以外の数値を示している場合には、配線の接続不良や接続間違い等が疑われるため、模擬遮断器７の動作試験を中断して、回路の配線状態を確認することが必要である。
【００２８】
正極線Ｐ５と負極線Ｎ３の間の電圧が「１１０Ｖ」の場合には、ステップＳ７において、模擬遮断器誤動作防止装置８のトグルスイッチｓ１４，ｓ１５を「入」の状態にする（図３に示される状態）。これにより、制御用電力線Ｐ４，Ｎ２は、正極線Ｐ５及び負極線Ｎ３に対して電気的に接続されるため、それらの対地電圧はそれぞれ「＋５５Ｖ」と「−５５Ｖ」となる。また、トグルスイッチｓ７が接点ｃ１に接続されている場合には、トリップコイル端子Ｔ１７のみが制御用電力線Ｎ２に対して電気的に接続されるため、トリップコイル端子Ｔ１７と投入コイル端子Ｔ１８の対地電圧はそれぞれ「−５５Ｖ」及び「０Ｖ」となる。一方、トグルスイッチｓ７が接点ｃ２に接続されている場合には、投入コイル端子Ｔ１８のみが制御用電力線Ｎ２に対して電気的に接続されるため、トリップコイル端子Ｔ１７と投入コイル端子Ｔ１８の対地電圧はそれぞれ「０Ｖ」及び「−５５Ｖ」となる。したがって、電圧検出手段１０，１１によって検出されたトリップコイル端子Ｔ１７と投入コイル端子Ｔ１８の対地電圧が、これ以外の値を示す場合には、模擬遮断器７の動作試験を中断して、回路の配線状態を確認する必要がある。
【００２９】
ステップＳ８では、自動復旧装置４の切換スイッチｓ１，ｓ２を操作するとともにメーク接点ａ８，ａ９のいずれかを閉じて、トリップコイル端子Ｔ１７と投入コイル端子Ｔ１８のいずれかを電力線Ｐ０に接続する。この場合、トリップコイル端子Ｔ１７と投入コイル端子Ｔ１８のいずれかの対地電圧が「＋５５Ｖ」となる。したがって、電圧検出手段１０，１１によって検出されたトリップコイル端子Ｔ１７と投入コイル端子Ｔ１８の対地電圧が、これ以外の値を示す場合には、模擬遮断器７の動作試験を中断して、回路の配線状態を確認する必要がある。
【００３０】
以上説明したように、本発明の模擬遮断器誤動作防止装置によれば、遮断器トリップ回路に接続された状態で行われる模擬遮断器の動作試験において、模擬遮断器の制御用電力線に電圧を印加しない状態で、遮断器トリップ回路や模擬遮断器の配線の不具合が検出されるという作用を有する。したがって、図面の確認や養生作業を失念して模擬遮断器を接続した場合でも、誤って停電を引き起こしてしまうおそれがない。
【００３１】
なお、本発明の模擬遮断器誤動作防止装置は、実施例に示した構造に限定されるものではない。例えば、２つの端子間の電圧を検出する回路と電圧表示部の代わりに、電圧計を電圧検出手段９〜１１として用いた構造であっても良い。この場合、簡単な構造によって、正極線Ｐ５と負極線Ｎ３の間の電圧及びトリップコイル端子Ｔ１７と投入コイル端子Ｔ１８の対地電圧を測定する機能が本実施例の場合と同様に発揮される。したがって、製造コストの削減を図ることができる。ただし、本実施例のように、両端子間の電圧を検出する回路と電圧表示部によって電圧検出手段９〜１１を構成する場合には、電圧検出手段９〜１１に電圧計を用いる場合に比べて、模擬遮断器誤動作防止装置８が小型化及び軽量化されるため、持ち運びや設置が容易であり、保管の際にも広いスペースを必要としないというメリットがある。
【産業上の利用可能性】
【００３２】
本発明は、遮断器のトリップ回路と投入回路を改修した後に行われる模擬遮断器の動作試験において利用可能である。
【符号の説明】
【００３３】
１…遮断器トリップ回路  ２…保護継電器盤  ３…遮断器  ４…自動復旧装置  ５…遠隔制御盤  ６…受電盤  ７…模擬遮断器  ８…模擬遮断器誤動作防止装置  ９…電圧検出手段  ９ａ，９ｂ…端子  １０…電圧検出手段  １０ａ，１０ｂ…端子  １１…電圧検出手段  １１ａ，１１ｂ…端子  ａ１〜ａ１０…メーク接点  ｂ１，ｂ２ブレーク接点  ｃ１，ｃ２…接点  ｓ１，ｓ２…切換スイッチ  ｓ３，ｓ４…スイッチ  ｓ５，ｓ６…ボタンスイッチ  ｓ７〜ｓ１５…トグルスイッチ  ｔｒ１〜ｔｒ５…トリップロック端子  ＣＣ…投入コイル  ＣＴ…動作タイマー  ＧＬ…緑ランプ  Ｌｓ１，Ｌｓ２…リミットスイッチ  Ｐ０〜Ｐ３…電力線  Ｐ４…制御用電力線  Ｐ５…正極線  ＲＬ…赤ランプ  Ｎ０，Ｎ１…電力線  Ｎ２…制御用電力線  Ｎ３…負極線  Ｔ１〜Ｔ１６…端子  Ｔ１７…トリップコイル端子  Ｔ１８…投入コイル端子  Ｔ１９〜Ｔ２２…端子  ＴＣ…トリップコイル  ＴＴ…復帰タイマー  Ｒ１〜Ｒ６…補助リレー      
【図１】
2018147835.tif 000003
【図２】
2018147835.tif 000004
【図３】
2018147835.tif 000005
【図４】
2018147835.tif 000006
【図５】
2018147835.tif 000007